(57)【要約】【課題】本発明は電解粗面化処理したアルミニウム支持体を使用した銀塩平版印刷版の現像装置において、低コストで製版特性及び印刷性能を長期に渡って安定に処理出来る優れた銀塩平版印刷版の現像装置を提供することを目的とする。【解決手段】アルミニウム支持体上に少なくともハロゲン化銀乳剤層を有する銀塩拡散転写法を利用した平版印刷版を現像処理する装置であって、少なくとも現像液を絞る現像絞りロール対を有する現像装置に於いて、該ハロゲン化乳剤層に接する絞りロールの表面に不織布からなる吸液部材を有する現像装置。【選択図】  図１
2004226907.tif 000002
【特許請求の範囲】
【請求項１】
アルミニウム支持体上に少なくともハロゲン化銀乳剤層を有する銀塩拡散転写法を利用した平版印刷版を現像処理する装置であって、少なくとも現像液を絞る現像絞りロール対を有する現像装置に於いて、該ハロゲン化乳剤層に接する絞りロールの表面に不織布からなる吸液部材を有することを特徴とする銀塩平版印刷版の現像装置。
【請求項２】
前記不織布が、芳香族ジカルボン酸を６０モル％以上含むジカルボン酸成分と炭素数６〜１２の脂肪族アルキレンジアミンを６０モル％以上含むジアミン成分とから合成されるポリアミドからなる繊維を主体構成成分とすることを特徴とする請求項１記載の銀塩平版印刷版の現像装置。
【請求項３】
前記不織布がスリーブ状かつシームレスに形成されていることを特徴とする請求項１〜２記載の銀塩平版印刷版の現像装置。
【発明の詳細な説明】
【０００１】
【発明の属する技術分野】
本発明は、平版印刷版の現像装置に関し、特にアルミニウム支持体上に少なくともハロゲン化銀乳剤層を有する銀塩拡散転写法を用いた平版印刷版の現像装置に関する。
【０００２】
【従来の技術】
本発明に使用される銀錯塩拡散転写法（ＤＴＲ法）を用いた平版印刷版については、フォーカル・プレス、ロンドン    ニューヨーク（１９７２年）発行、アンドレ    ロット及びエディス    ワイデ著、「フォトグラフィック・シルバー・ハライド・ディヒュージョン・プロセシズ」、第１０１頁〜第１３０頁に幾つかの例が記載されている。
【０００３】
ＤＴＲ法を用いた平版印刷版には、転写材料と受像材料を別々にしたツーシートタイプ、あるいはそれらを一枚の支持体上に設けたモノシートタイプの二方式が知られており、前者については例えば特開昭５７−１５８８４４号公報に、後者については例えば特公昭４８−３０５６２号、同５１−１５７６５号、特開昭５１−１１１１０３号、同５２−１５０１０５号などの各公報に詳しく記載されている。
【０００４】
本発明が対象とするアルミニウム板を支持体とする、銀錯塩拡散転写法を利用したモノシートタイプの平版印刷版（以降、アルミニウム平版印刷版と称す）は、特開昭５７−１１８２４４号、同５７−１５８８４４号、同６３−２６０４９１号、特開平３−１１６１５１号、同４−２８２２９５号、米国特許第４，５６７，１３１号、同第５，４２７，８８９号等の公報に詳しく記載されている。
【０００５】
前記アルミニウム平版印刷版は、粗面化され陽極酸化されたアルミニウム支持体上に物理現像核を担持し、その上に実質的に硬化されていないハロゲン化銀乳剤層を設けた基本構成からなっている。このアルミニウム平版印刷版の一般的な製版方法は、露光後、現像処理、水洗処理（ウォッシュオフ：ハロゲン化銀乳剤層の除去）、仕上げ処理の工程からなっている。
【０００６】
詳細には、現像処理によって物理現像核上に金属銀画像部が形成され、次の水洗処理によってハロゲン化銀乳剤層が除去されてアルミニウム支持体上に金属銀画像部（以降、銀画像部と称す）が露出する。同時に陽極酸化されたアルミニウム表面自身が非画像部として露出する。
【０００７】
露出した銀画像部及び非画像部には、その保護のためにアラビアゴム、デキストリン、カルボキシメチルセルロース、ポリスチレンスルホン酸等の保護コロイドを含有する仕上げ液の処理、所謂ガム引きと云われる処理が施される。この仕上げ液は、定着液やフィニッシング液とも称され、銀画像部を親油性にする化合物（例えば、メルカプト基またチオン基を有する含窒素複素環化合物）を含有することも一般的である。
【０００８】
上記平版印刷版の製版処理を実施するための装置としては、例えば、特開平６−６７４３８号、同平６−９５３９５号、同平６−３３２１９４号、同平７−４３８７９号、同平７−２８５２３３号、同平７−３１９１６号、同平８−４４０６５９号、同平８−３１４１０５号、同２００１−１７４９７０号公報等に様々のものが提案されている。これらの現像装置は、現像工程、水洗工程、仕上げ工程、乾燥工程から構成されており、通常、現像工程と水洗工程（ハロゲン化銀乳剤層の除去工程）の間には版面上に付着した現像液を絞り取る一対の絞りロールが設置されている。
【０００９】
本発明が対象とする銀塩平版印刷版は、製版処理でハロゲン化銀乳剤層を完全に除去する必要があり、そのためにハロゲン化銀乳剤層は実質的に硬膜剤を用いずに低い硬膜度の膜物性に設定されている。従って現像処理で容易に膨潤し膜強度が更に低下したハロゲン化銀乳剤層は、当然の如く現像絞りロールの表面の状態により影響を受ける。例えば、ロール表面が乾燥して現像液中の成分が乾固しておればハロゲン化乳剤層に傷を付けることとなり、製版性及び印刷性にも悪影響を与える。このために、現像絞りロールには保水性向上の目的でガーゼ様の綿製の織布を装着させて使用している。また、ロールの表面材質としてその表面張力が３０ｄｙｎ／ｃｍ以下のポリマーを用いる提案もなされている（特許文献１参照）。
【００１０】
しかし、上述の織布をロールに装着することでの問題点もあった。これは織布であることで「織り目」が存在するために版面に織り目に従って加圧がされ、現像液やハロゲン化乳剤層の状態によっては膜面には織り目に従って跡形が着く場合があり、この跡形はハロゲン化乳剤層除去後にも残存し、特に高解像度での網点部分では印刷物にも反映される悪影響を与えており、結果として製版ラチチュードを狭くしていた。さらにｐＨ１２を越える現像液による使用経時により、織布の繊維が脱落する一方で残存した繊維は硬化して使用初期に比べ織布の「織り目」が強調され、版材の乳剤面に強く押圧されるため上記問題の発生頻度も増加する。そのために織布は定期的に交換する必要もあった。またロール材質を変更することは、装置のコスト面で不利となるし、ロール表面の耐傷性も低下して交換頻度の増加を招く恐れもある。
【００１１】
【特許文献１】
特開２００２−７２４９９号公報（第２頁）
【００１２】
【発明が解決しようとする課題】
本発明は電解粗面化処理したアルミニウム支持体を使用した銀塩平版印刷版の現像装置において、低コストで製版特性及び印刷性能を長期に渡って安定に処理出来る優れた銀塩平版印刷版の現像装置を提供することを目的とする。
【００１３】
【課題を解決するための手段】
本発明の上記目的は、アルミニウム支持体上に少なくともハロゲン化銀乳剤層を有する銀塩拡散転写法を利用した平版印刷版を現像処理する装置であって、少なくとも現像液を絞る現像絞りロールを有する現像装置に於いて、該ハロゲン化乳剤層に接する絞りロールの表面に不織布からなる吸液部材を有する銀塩平版印刷版の現像装置により達成された。
【００１４】
また第二の発明は、前記不織布が、芳香族ジカルボン酸を６０モル％以上含むジカルボン酸成分と炭素数６〜１２の脂肪族アルキレンジアミンを６０モル％以上含むジアミン成分とから合成されるポリアミドからなる繊維を主体構成成分である銀塩平版印刷版の現像装置である。
【００１５】
さらに第三の発明は、前記不織布がスリーブ状かつシームレスに形成されている銀塩平版印刷版の現像装置である。
【００１６】
【発明の実施の形態】
以下に本発明を詳細に説明する。本発明の現像装置は少なくとも、現像液中に浸漬あるいは現像液の必要量を版面に塗布する現像工程とスプレーあるいはシャワーによる水流によりハロゲン化銀乳剤層を除去する方法や水洗水をかけながらスクラブロールによりハロゲン化銀乳剤層を除去する除去工程を有し、現像処理後の版面に付着した現像液を絞りとる絞りロールを有する。更に仕上げ液を版面に供給する工程及び乾燥工程を一般的に有する。
【００１７】
現像液を絞り取る絞りロールは、一対のローラで構成されていても、ハロゲン化銀乳剤層側に当接する１本のローラで構成されていてもよい。このハロゲン化銀乳剤層側の絞りロールの表面には、不織布からなるスリーブ状の吸液部材が装着されているものである。
【００１８】
以下、本発明の好ましい現像装置について図１を用いて説明する。図１は現像工程とハロゲン化銀乳剤層の除去工程を模式的に示した断面図である。現像入り口ロール対１で矢印の方向に搬送された印刷版Ｐは、先ずスロットダイ２からなる塗布装置で所定量の現像液が塗布され現像される。現像後、一対の現像絞りロール対３ａと３ｂで印刷版Ｐの版面上の現像液が絞り取られる。ここで印刷版Ｐの版面（ハロゲン化銀乳剤層側）は上向きであり、現像絞りロール対３ａ、ｂはステンレスの心金にニトリルブタジエンラバー（ＮＢＲ）を巻いたゴムロールであり、現像絞りロール３ａには不織布からなるスリーブ状の吸液部材４が装着されている。吸液部材４は、後述する耐アルカリ性の高い繊維からなる不織布を用いて、シートからスリーブ状に加工しても良いし、不織布製造過程より現像絞りロール３ａの径に適合した円筒状に作製して用いることもできる。シートからスリーブ状に加工する場合には熱融着させるなど段差なくシームレスに加工することが絞り効果の均一化を成し得、版面への悪影響を与えないので特に好ましい。
【００１９】
次に水洗入り口ロール対５と水洗水を吐出するシャワーパイプ６、独自に回転駆動するスクラブロール７、水洗出口ロール対８から構成されるハロゲン化銀乳剤層除去工程において、ハロゲン化銀乳剤層が除去される。
【００２０】
上記したハロゲン化銀乳剤層の除去工程の後、図示していないが仕上げ液塗布工程及び乾燥工程が配置されている。
【００２１】
現像液の温度は約１５℃〜約４０℃の範囲が好ましく、現像時間は５秒〜４０秒の範囲で変化できる。これらの条件は用いる銀塩平版印刷版の構成、現像液の組成等によって適宜決定することができる。現像液の塗布量は平版印刷版１ｍ２当たり３０〜８０ｍｌ程度が好ましい。
【００２２】
本発明に係わる現像絞りロールに装着する不織布としては任意の製造方法で得ることができる。まず繊維ウェッブ（不織布の絡合または結合前のもの）を形成して、繊維ウェッブ内の繊維を接着または絡合させることにより不織布化する一般的な手法で製造することができる。得られた不織布はそのまま使用しても良いし、複数枚の積層体として使用してもよい。繊維ウェッブの形成方法としては、例えばカード法やエアレイ法等の乾式法、抄紙法などの湿式法、スパンボンド法、メルトブロー法等があり、いずれの手法でウェッブを得ることができる。
【００２３】
具体的に各方法を説明する。乾式法によるウェッブの形成はローラーカード、ランダムカード、ウェッバー等を用いて繊維ウェッブを製造することができ、該ウェッブは繊維の方向性によりパラレルウェッブ、クロスウェッブ、クリスクロスウェッブ、セミランダムウェッブ、ランダムウェッブに種別されるが、繊維の配向方向が交差した形状のウェッブが、たて方向とよこ方向の布帛の強力差が小さくなるので好適である。
【００２４】
このような繊維ウェッブから不織布を形成する方法としては、たとえば、繊維ウェッブを強力な水流により絡合させる水流交絡法やニードル等の作用によって絡合させる方法、バインダーによって接着させる方法、縫糸でウェッブを縦網状に縫合する方法等があり、これらの方法は単独で、あるいは組み合わせることができる。
【００２５】
湿式法による繊維ウェッブの形成は抄紙法が一般的であるが、かかる方法は生産性が高く、同一装置で繊維径の異なる繊維や複数の種類の繊維を任意の割合で混合できる利点がある。すなわち、繊維の形態もステープル状、パルプ状等と選択の幅が広く、使用繊維径も極細繊維から太い繊維まで使用可能といった極めて応用範囲が広く、地合の良好なウェッブが得られる。該方法はまず、溶融紡糸して得られた繊維をカットして水中に分散して緩やかに攪拌のもと均一な抄紙スラリーとし、この抄紙スラリーを丸網、長網、傾斜式などのワイヤーの少なくとも１つを有する抄紙機を用いて抄紙する方法である。またこのようにして得られた湿紙あるいは乾燥後の紙を単独、または積層したシートに水流を当て絡合させてもよい。カットされた繊維はビーターあるいはリファイナーなどで叩解処理が施された後に抄紙スラリーとしてもよく、抄紙の際に粘剤、分散剤等を添加してもよい。
【００２６】
以上の手法でウェッブ形成を行った後に乾燥を施すことにより所望の不織布が得られる。乾燥手段は熱風、熱カレンダー処理等により行えばよい。特に表面平滑性の向上、シートの厚さ調整、強度、高密度化の発現のためには熱カレンダー処理を行うことが好ましい。
【００２７】
上述の手法以外では、スプリットフィルム法や発泡フィルム法等の手法でもシート化は可能である。
【００２８】
また、さらに高い吸液性が必要とする場合には親水化処理を施してもよい。親水化処理法としては、グラフト重合処理、プラズマ放電処理、コロナ放電処理、フッ素ガス処理、樹脂コーティング、スルホン化処理等が挙げられ、これらの処理のいずれの手法で処理を行っても構わない。
【００２９】
本発明に係わる不織布を構成する繊維としては、セルロース等の天然あるいはレーヨン等の半合成、アクリル、ポリエステル等の合成の各繊維を用いることができるが耐アルカリに優れるものが好ましい。中でも、芳香族ジカルボン酸を６０モル％以上含むジカルボン酸成分と炭素数６〜１２の脂肪族アルキレンジアミンを６０モル％以上含むジアミン成分とから合成されるポリアミドからなる繊維を主体構成成分とすることがより好ましい。芳香族ジカルボン酸としては、耐アルカリ性が要求される点でテレフタル酸が好ましく、イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、ジ安息香酸、４，４’−オキシジ安息香酸、ジフェニルメタン−４，４’−ジカルボン酸、ジフェニルスルホン−４，４’−ジカルボン酸、４，４’−ビフェニルジカルボン酸などの芳香族ジカルボン酸を１種類以上併用して使用することもできる。かかる芳香族ジカルボン酸の含有量はジカルボン酸成分の６０モル％以上であり、７５モル％以上であることが好ましい。上記芳香族ジカルボン酸以外のジカルボン酸としてはマロン酸、ジメチルマロン酸、コハク酸、３，３−ジエチルコハク酸、グルタル酸、２，２−ジメチルグルタル酸、アジピン酸、２−メチルアジピン酸、トリメチルアジピン酸、ピメリン酸、アゼライン酸、セバシン酸、スベリン酸などの脂肪族ジカルボン酸；１，３−シクロペンタンジカルボン酸、１，４−シクロヘキサンジカルボン酸等の脂環式ジカルボン酸を挙げることができ、これらの酸は１種類のみならず２種類以上用いることができる。なかでもシートの強度、耐薬品性、耐熱性等の点でジカルボン酸成分が１００％芳香族ジカルボン酸であることが好ましい。さらにトリメリット酸、トリメシン酸、ピロメリット酸等の多価カルボン酸を繊維化・シート化が容易な範囲内で含有させることもできる。
【００３０】
また、ジアミン成分の６０モル％以上は炭素数が６〜１２のアルキレンジアミンで構成され、かかる脂肪族アルキレンジアミンとしては、１，６−ヘキサンジアミン、１，８−オクタンジアミン、１，９−ノナンジアミン、１，１０−デカンジアミン、１，１１−ウンデカンジアミン、１，１２−ドデカンジアミン、２−メチル−１，５−ペンタンジアミン、３−メチル−１，５−ペンタンジアミン、２，２，４−トリメチル−１，６−ヘキサンジアミン、２，４，４−トリメチル−１，６−ヘキサンジアミン、２−メチル−１，８−オクタンジアミン、５−メチル−１，９−ノナンジアミン等の直鎖または側鎖を有する脂肪族ジアミンなどを挙げることができる。なかでも耐薬品性の点で１，９−ノナンジアミン、１，９−ノナンジアミンと２−メチル−１，８−オクタンジアミンとの併用が好ましい。この脂肪族アルキレンジアミンの含有量はジアミン成分の６０モル％以上であるが、７５モル％以上、特に９０モル％以上であることが、優れた吸液性を発現させるために好ましい。
【００３１】
上述の脂肪族アルキレンジアミン以外のジアミンとしてはエチレンジアミン、１，４−ブタンジアミン等の脂肪族ジアミン；シクロヘキサンジアミン、メチルシクロヘキサンジアミン、イソホロンジアミン、ノルボルナンジメチルジアミン、トリシクロデカンジメチルジアミン等の脂環式ジアミン；ｐ−フェニレンジアミン、ｍ−フェニレンジアミン、キシリレンジアミン、キシレンジアミン、４，４’−ジアミノジフェニルメタン、４，４’−ジアミノジフェニルスルホン、４，４’−ジアミノジフェニルエーテル等の芳香族ジアミン、あるいはこれらの混合物を挙げることができ、これらは１種類のみならず２種類以上を用いることができる。
【００３２】
脂肪族アルキレンジアミンとして１，９−ノナンジアミンと２−メチル−１，８−オクタンジアミンとを併用する場合、ジアミン成分の６０〜１００モル％が１，９−ノナンジアミンと２−メチル−１，８−オクタンジアミンからなり、そのモル比は前者：後者＝３０：７０〜９９：１、とくに前者：後者＝４０：６０〜９５：５であることが好ましい。
【００３３】
次に本発明の現像装置における各工程の詳細について説明する。まず現像方式は、浸漬方式でも塗布方式であってもよいが、本発明の目的の１つである廃液を減少させるという観点から塗布方式が望ましいといえる。塗布方式としては、例えば特開昭４８−７６６０３号、特開平５−２８９３４３号、同平６−２７６８０号、同平６−２７６８２号、同平１０−６２９５２号、同平１０−６２９５１号等の塗布装置を用いることができるが、より好ましくは、特願平１１−３６１０２７号、同２０００−１２８６５２号で提案したスロットダイを塗布装置として用いることである。
【００３４】
ハロゲン化銀乳剤層の除去工程における除去手段としては、前述したように、水洗液をジェット方式で吹き付ける方法、水洗液を吹き付けながらスクラブローラで剥離除去する方法、及び剥離シートをハロゲン化銀乳剤層に密着させて剥離する方法が用いることができる。また水洗液を現像液を中和する作用を有する処理液にて用いることもできる。
【００３５】
上記ハロゲン化乳剤層除去工程の次には、必要に応じて仕上げ液塗布工程を設けることができる。印刷性向上のために各種添加剤を含有したフィニッシャー液あるいはガム液をシャワーもしくは水流による吹き付け後絞液する方法もしくは必要量のみ計量して塗布する塗布方式等を用いて処理を行う。さらに、版面を乾燥させるために温風もしくは冷風を吹き付ける乾燥工程が配置してもよい。
【００３６】
次に、本発明に係わる銀塩平版印刷版について説明する。本発明で用いられる銀塩平版印刷版は、少なくともアルミニウム支持体上に物理現像核層を有し、その上層としてハロゲン化乳剤層を有するものである。物理現像核としては、公知の銀錯塩拡散転写法に用いられるものでよく、例えば金、銀等のコロイド、パラジウム、亜鉛等の水溶性塩と硫化物を混合した金属硫化物などが使用できる。保護コロイドとして各種親水性コロイドを用いることもできる。
【００３７】
本発明で用いるアルミニウム支持体にはアルミニウム純度が９３重量％以上、好ましくは９９重量％以上の純度のアルミニウム支持体を使用する。アルミニウム不純物としては鉄、ケイ素、銅、マンガン、マグネシウム、クロム、亜鉛、チタン、ビスマス、鉛、ジルコニウム、ニッケルなど通常アルミニウム合金として用いられている元素が使用できる。また、特に好ましいアルミ合金としては１０５０、１１００、３００３などが挙げられる。
【００３８】
本発明に用いられる支持体には、この技術分野において通常使用されている脱脂処理、粗面化処理及び陽極酸化処理等が施されるが、少なくとも粗面化処理及び陽極酸化処理がこの順で行なわれた支持体を用いる。
【００３９】
本発明のハロゲン化銀乳剤層には保護コロイドとして各種親水性コロイドを用いることができる。即ち、酸処理ゼラチン、アルカリ処理ゼラチン、ゼラチン誘導体、グラフト化ゼラチン等各種ゼラチンを用いることが出来る他、ポリビニルピロリドン、各種でんぷん、アルブミン、ポリビニルアルコール、アラビアゴム、ヒドロキシエチルセルロース、等の親水性高分子化合物を含有させることが出来る。用いられる親水性コロイドとしては、ゼラチン、ゼラチン誘導体、ポリビニルアルコール、ポリビニルピロリドン等が挙げられるが、好ましくは、物理現像後の親水性コロイド層の剥離性を容易にするために実質的に硬膜剤を含まない親水性コロイド層を用いることが望ましい。
【００４０】
本発明に用いられるハロゲン化銀乳剤の種類としては、一般に用いられる塩化銀、臭化銀、ヨウ化銀、塩臭化銀、塩ヨウ臭化銀、ヨウ臭化銀等から選択される。また乳剤のタイプとしてはネガ型、ポジ型のいずれでもよい。これらのハロゲン化銀乳剤は必要に応じて化学増感あるいはスペクトル増感することが出来る。
【００４１】
本発明においてハロゲン化銀乳剤層にはベンゾトリアゾールもしくはその誘導体、メルカプト基もしくはチオン基を有する含窒素複素環化合物を含有させることもできる。その量は１〜１００ｍｇ／ｍ２、好ましくは５〜３０ｍｇ／ｍ２である。
【００４２】
次に本発明の現像装置に用いられる現像液について説明する。現像液は、現像主薬、例えばポリヒドロキシベンゼン類、３−ピラゾリジノン類、保恒剤、例えば亜硫酸ナトリウム、粘稠剤、例えばカルボキシメチルセスロース、カブリ防止剤、例えば臭化カリウム、１−フェニル−５−メルカプトテトラゾール、現像変成剤、例えばポリオキシアルキレン化合物等の添加剤等を含ませることが出来る。またケイ酸塩以外にアルカリ性物質、例えば水酸化カリウム、水酸化ナトリウム、水酸化リチウム、第３燐酸ナトリウム、あるいはアミン化合物を含ませることも可能である。
【００４３】
本発明での現像液のｐＨとして通常約１０〜１４、好ましくは約１２〜１４であるが、使用する平版印刷版のアルミニウム支持体の前処理（例えば陽極酸化）条件、写真要素、所望の像、現像液中の各種化合物の種類及び量、現像条件等によって異なる。
【００４４】
【実施例】
以下本発明を実施例により詳説するが、本発明はその趣旨を逸脱しない限り、下記実施例に限定されるものではない。なお％は断りのないかぎり重量％を示す。
【００４５】
実施例
光源が紫色半導体レーザーであるイメージセッターＶＩＰＬＡＳ（三菱製紙（株）製）で２４００ｄｐｉ、１７５ｌｐｉで画像露光を行った。次に製版用プロセッサー（三菱製紙（株）製Ｐ−α８８０ＥｃｏＲＦ−Ｈ）を用いて、現像製版処理を行った。製版用プロセッサーは、現像処理工程、水洗処理工程（水洗水をシャワー噴射しながらスクラブローラーで乳剤層をウォッシュオフする）、仕上げ処理工程及び乾燥工程から構成されている。現像処理工程における現像絞りロール（上側）には下記に示すスリーブ状の吸液部材をそれぞれ装着して用いた。水洗処理工程は貯蔵タンクに貯留された約２０Ｌの水洗水をポンプで循環させて、平版印刷版にシャワー噴射した後、濾過フィルターで濾過して貯留タンクに回収し再使用するクローズドタイプとなっている。現像液はＳＤＰ−αＥＤＶ（三菱製紙（株）製）、水洗液はＳＤＰ−αＳＴＩＩ（三菱製紙（株）製）、仕上げ液はＳＤＰ−αＧＵＭ（三菱製紙（株）製）を用いた。
【００４６】
＜吸液部材＞
吸液部材１（比較例）＝セルロース繊維からなる織布。
吸液部材２（実施例１）＝セルロース繊維を主体として湿式の抄紙法でウエッブを作製し、水流交絡法により作製した不織布。
吸液部材３（実施例２）＝１，９−ノナンジアミンと２−メチル−１，８−オクタンジアミンをジアミン成分とし、テレフタル酸をジカルボン酸成分とするポリアミド繊維を主体として湿式の抄紙法でウエッブを作製し、水流交絡法により作製した不織布。
吸液部材４（実施例３）＝ポリエチレンテレフタレート繊維を主体として湿式の抄紙法でウエッブを作製し、水流交絡法により作製した不織布。
【００４７】
上記吸液部材１〜４について、それぞれ絞りロールに同じ厚みとなるように装着し、市販の銀塩平版印刷版（ＳＤＰα−Ｖ  三菱製紙（株）製）の標準の製版条件にて全面３０％網点画像を露光して処理を行ったところ問題なく製版できたが、プロセッサーの絞りロールを故意に乾燥させて通版したところ、吸液部材１では織り目状のパターンが版面画像上に発生しており、印刷にも反映された。吸液部材２〜４で同様に実施したが、織り目状パターンの発生はなく問題なく印刷できた。
【００４８】
次に、プロセッサーの絞りロールのニップ圧を標準の２倍として製版したところ、吸液部材１では織り目状のパターンが発生し、吸液部材２〜４ではパターンの発生は見られなかった。
【００４９】
次に長期安定性の確認を行った。上記現像液中に吸液部材１〜４を装着した現像絞りロールを３０日間浸漬した。それらを用いて製版したところ吸液部材１では明確に織り目状のパターンが発生しており、印刷にも反映した。吸液部材２、４では砂目状のパターンが確認できたが印刷には反映されなかった。吸液部材３を用いたものでは製版物、印刷物共に異常は見られなかった。
【００５０】
【発明の効果】
本発明の銀塩平版印刷版の現像装置によれば、ハロゲン化乳剤層に接する絞りロールの表面に不織布からなる吸液部材を有することで、銀塩平版印刷版の表面に傷つける等悪影響を及ぼすこと、また織り目パターンの発生もなく、さらに芳香族ジカルボン酸を６０モル％以上含むジカルボン酸成分と炭素数６〜１２の脂肪族アルキレンジアミンを６０モル％以上含むジアミン成分とから合成されるポリアミドからなる繊維を主体構成成分とする不織布を用いることで、高ｐＨの現像液で長期に渡って使用しても、銀塩平版印刷版の表面に傷つける等悪影響を及ぼすこと、また織り目パターンの発生もない、低コストで製版特性及び印刷性能を長期に渡って安定に処理出来る優れた銀塩平版印刷版の現像装置を提供することが可能となる。
【図面の簡単な説明】
【図１】本発明の一例を示す現像工程とハロゲン化銀乳剤層の除去工程を模式的に示した断面図。
【符号の説明】
１  現像入り口ロール対
２  スロットダイ
３ａ、３ｂ  現像絞りロール
４  吸液部材
５  水洗入り口ロール対
６  シャワーパイプ
７  スクラブロール
８  水洗出口ロール対
Ｐ  印刷版
【図１】
2004226907.tif 000003